(57)【要約】【課題】コンポジットビデオ信号のＶＢＩに多重化されることを前提としたＣｌｏｓｅ  Ｃａｐｔｉｏｎなどの文字情報は、ＶＢＩのないＨＤのビデオ信号には多重化できないため、ＤＶＤプレーヤなどの再生装置から該当する文字情報を得るためには、ＳＤのビデオ信号で視聴しなくてはいけなかった。【解決手段】ＤＶＤプレーヤなどの再生装置側から、ＨＤのビデオ信号とＶＢＩに文字情報が多重化されたＳＤのビデオ信号の両方を、ＴＶなどの映像表示装置に接続する。映像表示装置は、ＳＤのビデオ信号に多重化された文字情報を分離し、ＨＤのビデオ信号に同期させて映像を合成した上で、字幕のある映像として画面に表示する。【選択図】図４
2007110310.tif 000002
【特許請求の範囲】
【請求項１】
文字情報が多重化されたビデオ信号と、視聴するためのビデオ信号を入力するための少なくとも２個以上のビデオ入力系統を備え、ビデオ信号に多重化された文字情報をビデオ信号から分離する処理と、分離した文字情報を表示可能なデータに変換する処理と、視聴するビデオ信号を映像にデコード変換する処理と、表示可能な文字データと映像を合成する処理と、合成した映像を表示する処理をそれぞれ実行する部分を備えることを特徴とする画像表示装置。
【請求項２】
複数のビデオ入力系統から、文字情報が多重化されたビデオ信号と、文字情報を合成する対象のビデオ信号を選択する手段を備える、請求項１記載の画像表示装置。
【請求項３】
文字情報が多重化されたビデオ信号から分離された文字情報の出力を遅延することを目的とする出力遅延処理と、文字情報を合成する対象の映像の出力を遅延することを目的とする出力遅延処理をもち、それぞれを個別に調整する手段を持つことを特徴とする、請求項１記載の画像表示装置。
【発明の詳細な説明】
【技術分野】
【０００１】
本発明は、映像とそれに同期した文字情報を表示する映像表示装置に関するものである。
【背景技術】
【０００２】
従来から、ＴＶ放送の信号には、北米地域で採用されているＣｌｏｓｅｄ  Ｃａｐｔｉｏｎ方式のような、ビデオ信号に文字情報を多重化し、その信号をＴＶや専用デコーダなどの受像装置側で処理して、文字情報を映像に同期させて字幕情報として表示する技術がある。例えば特許文献１参照。
【０００３】
また、市販のＤＶＤ−Ｖｉｄｅｏなどのパッケージメディアにおいても、Ｃｌｏｓｅｄ  Ｃａｐｔｉｏｎ信号が映像信号に多重化されているタイトルが存在し、聴覚障害者を中心に利用されている。
【０００４】
この時、ＤＶＤプレーヤなどの再生装置のコンポジットビデオ出力においては、ストリームから抜き出されたＣｌｏｓｅｄ  Ｃａｐｔｉｏｎデータが、ビデオ信号のＶＢＩ（Ｖｅｒｔｉｃａｌ  Ｂｌａｎｋｉｎｇ  Ｉｎｔｅｒｖａｌ）のＬｉｎｅ２１のフィールドに多重化されており、Ｃｌｏｓｅｄ  Ｃａｐｔｉｏｎのデコードに対応したＴＶや専用デコーダなどで字幕に変換されている。
【０００５】
しかし近年、高解像度のＨＤ（Ｈｉｇｈ  Ｄｅｆｉｎｉｔｉｏｎ）方式によるＴＶ放送やビデオ信号伝送が可能になり、ＴＶや再生装置にもＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）といった新しい接続方式が採用されるようになった。
【０００６】
従来のＳＤ（Ｓｔａｎｄａｒｄ  Ｄｅｆｉｎｉｔｉｏｎ）方式のコンポジットビデオ出力におけるＬｉｎｅ２１を前提としていたＣｌｏｓｅｄ  Ｃａｐｔｉｏｎ方式は、ＨＤＭＩなどのようなＶＢＩがない接続ではそのままでは利用できないという問題が発生してきた。
【特許文献１】特開２００４−３０４５３１号公報
【発明の開示】
【発明が解決しようとする課題】
【０００７】
コンポジットビデオ信号のＶＢＩに多重化されることを前提としたＣｌｏｓｅｄ  Ｃａｐｔｉｏｎなどの文字情報は、ＶＢＩのないＨＤのビデオ信号には多重化できないため、ＤＶＤプレーヤなどの再生装置から該当する文字情報を得るためには、ＳＤのビデオ信号で視聴しなくてはいけなかった。
【課題を解決するための手段】
【０００８】
ＤＶＤプレーヤなどの再生装置側から、ＨＤのビデオ信号とＶＢＩに文字情報が多重化されたＳＤのビデオ信号の両方を、ＴＶなどの映像表示装置に接続する。映像表示装置は、ＳＤのビデオ信号に多重化された文字情報を分離し、ＨＤのビデオ信号に同期させて映像を合成した上で、字幕のある映像として画面に表示する。
【０００９】
具体的には、本発明の請求項１に係る画像表示装置は、文字情報が多重化されたビデオ信号と、視聴するためのビデオ信号を入力するための少なくとも２個以上のビデオ入力系統を備え、ビデオ信号に多重化された文字情報をビデオ信号から分離する処理と、分離した文字情報を表示可能なデータに変換する処理と、視聴するビデオ信号を映像にデコード変換する処理と、表示可能な文字データと映像を合成する処理と、合成した映像を表示する処理をそれぞれ実行する部分を備えることを特徴とする。
【００１０】
また、請求項２に係る画像表示装置は、複数のビデオ入力系統から、文字情報が多重化されたビデオ信号と、文字情報を合成する対象のビデオ信号を選択する手段を備える。
【００１１】
さらに請求項３に係る画像表示装置は、文字情報が多重化されたビデオ信号から分離された文字情報の出力を遅延することを目的とする出力遅延処理と、文字情報を合成する対象の映像の出力を遅延することを目的とする出力遅延処理をもち、それぞれを個別に調整する手段を持つことを特徴とする。
【発明の効果】
【００１２】
高解像度のＨＤのビデオ信号と、ＳＤのビデオ信号のＶＢＩに多重化された文字情報を同時に視聴することができるという効果が得られる。
【発明を実施するための最良の形態】
【００１３】
ＨＤＭＩのようにＣｌｏｓｅｄ  Ｃａｐｔｉｏｎを伝送できないインターフェースでも、映像に同期した文字情報を得られるようにするという目的を、パッケージメディアへの文字情報の記録方式や、再生装置の制御や、伝送方式の変更なく、ＴＶといった映像表示装置の変更のみで実現できる。
（実施の形態１）
図１は、本発明における再生装置と映像表示装置間の接続状態を表す図であり、１００は映像表示装置を、１０１は再生装置を、１０２はコンポジットビデオ信号を伝送するビデオケーブルを、１０３は視聴するためのビデオ信号を伝送するビデオケーブルを、１０４は再生装置側のコンポジット出力端子を、１０５は映像表示装置側のコンポジット入力端子をそれぞれ表す。
【００１４】
このようにして、映像表示装置１００と再生装置１０１を二系統のビデオ信号で同時に伝送する。また、そのビデオ伝送経路のうちの一系統であるビデオケーブル１０２は、ＶＢＩ信号に文字信号を多重化するために、コンポジット出力端子１０４、コンポジット入力端子１０３にそれぞれ接続する必要がある。ビデオケーブル１０３は、例えばＨＤのビデオ信号の伝送に使用される。
【００１５】
図２は、図１の映像表示装置１００の内部構成の一例を示した、本発明における映像信号と文字情報を合成する処理を表すブロック図であり、２００は映像表示装置を、２０１は視聴用のビデオ信号を、２０２は文字情報がＶＢＩに多重化されたビデオ信号を、２１０は多重化されたビデオ信号と文字情報を分離して文字情報のみを抽出する分離処理部を、２１１は文字情報を文字コードから字体に変換する文字情報変換部を、２１２はビデオデコーダを、２１３は文字情報と視聴用のビデオ画像を合成するビデオ合成処理部を、２１４は合成した信号をモニタに表示するビデオ信号処理部をそれぞれ表す。
【００１６】
このようにして、文字情報が多重化されたビデオ信号２０２から抽出された文字情報を、視聴するビデオ信号２０１に重ね合わせて表示することが可能になる。
（実施の形態２）
図３は、図１の映像表示装置１００の内部構成の他の例を示した、本発明における視聴する映像信号と文字情報を入力する映像信号を選択する処理を表すブロック図であり、３００は映像表示装置を、３０１は視聴用のビデオ信号を、３０２は文字情報が多重化されたビデオ信号を、３０３は映像信号の伝送経路切替部を、３０４、３０５、３０６、３０７は映像表示装置に備え付けられた複数個のビデオ入力端子をそれぞれ表す。
【００１７】
ＴＶなどの映像表示装置は通常、入力経路を複数個もっており、リモコンや本体ボタンなどの入力選択ボタンを使うことにより、どのビデオ信号を視聴するかを選択することができる。しかし、本発明の利用ケースにおいては、さらに、どのビデオ信号に多重化された文字情報を字幕として合成したいかを選択する手段をユーザーに提供することが必要である。これを実現するための方法を説明する。
【００１８】
まず映像表示装置３００に複数のビデオ入力３０４、３０５、３０６、３０７があるとする。この数は２個以上であれば、例示した４個でなくてもかまわない。ユーザーはまず、視聴するビデオ信号を選択する。この時、図３においては、映像信号伝送経路切替部３０３において、ビデオ入力３０７が視聴用ビデオ信号３０１として接続されている。
【００１９】
同様に、ユーザーは、合成したい文字情報が多重化されたビデオ信号を選択する。図３においては、映像信号伝送経路切替部３０３において、ビデオ入力３０４が、文字情報が多重化されたビデオ信号３０２として接続されている。この時、ユーザーが合成したい文字情報が多重化されたビデオ信号を選択する手段として、リモコンや本体に専用のボタンのような入力手段を設けてもかまわないし、画面にメニューを表示してユーザーに選択させてもかまわない。
【００２０】
同様の目的で、接続されている端子が映像表示装置３００側で認識でき、また１つ、もしくは複数のＶＢＩ信号が伝送可能な端子が検出されても、その中で、ＶＢＩ信号に目的の文字情報が多重化されている信号を検出して、目的の端子を１つに特定できれば、ユーザーの選択なしに自動でその端子を文字情報が多重化されたビデオ信号３０２と接続することも可能である。
【００２１】
以上のようにして、複数のビデオ信号の入力の中から、視聴用のビデオ信号と、文字情報を得るためのビデオ信号を関連付け、ユーザーは文字情報が合成された映像を視聴することが可能になる。
（実施の形態３）
図４は、図１の映像表示装置１００の内部構成のまた別の例を示した、本発明における映像信号と文字情報を同期させた上で合成する処理を表すブロック図であり、４００は映像表示装置を、４０１は視聴用ビデオ信号を、４０２は文字情報が多重化されたビデオ信号を、４１０は文字情報分離部を、４１１は文字情報変換部を、４１２はビデオデコーダを、４１３はビデオ合成処理部を、４１４はビデオ表示処理部を、４１５は文字情報の出力タイミングを遅延させる処理部を、４１６はビデオ出力タイミングを遅延させる処理部をそれぞれ表す。
【００２２】
ビデオ信号４０２から分離した文字情報と、視聴用のビデオ信号４０１の画像は同期させて合成する必要がある。文字情報はその場面やシーンを説明したり、周辺の音を表現したり、出演者の声を表現したりするため、その場面から大きく早まったり遅くなるとユーザーの視聴に不具合が生じる。本発明においては二系統のビデオ伝送経路が必要であるが、その二系統のビデオ信号の伝送タイミングが一致しない可能性がある。
【００２３】
それは、例えばＳＤ方式のビデオ出力とＨＤ方式のビデオ出力で異なる画像処理回路を使用しているために伝送経路が再生装置の内部的に別になっている場合や、伝送用のケーブルの長さが二系統で極端に違う場合や、また片方のビデオ伝送経路のみＡＶセレクタや映像処理装置などを経由している場合などがあげられるが、数十ミリ秒以上も到着タイミング差が発生する可能性がある。このような場合を考慮するならば、映像情報と文字情報の同期をとるための仕組みを備えることが必要となる。これを実現するための方法を説明する。
【００２４】
図４において、文字情報とビデオ信号のそれぞれに、出力遅延処理部４１５、４１６が設けられている。
【００２５】
もし、映像に対して文字情報が遅れて表示される場合、ユーザーはその表示タイミングが合うように映像表示装置４００を操作して、ビデオ出力遅延処理部４１６のパラメータを設定してやることにより、変更前よりも映像情報が遅れて出力されるため、結果として文字情報と映像情報は同期して合成されることになる。
【００２６】
同様に、もし映像に対して文字情報が早く表示される場合、ユーザーはその表示タイミングが合うように映像表示装置４００を操作して、文字情報出力遅延処理部４１５のパラメータを変更してやることにより、変更前よりも映像情報が遅れて表示されるため、結果として文字情報と映像情報は同期して合成されることになる。
【００２７】
無論、タイミングがあっていれば、出力遅延処理部４１５、４１６を備えていても、それらを活用せずに遅延無しで出力すればよい。
【００２８】
以上のようにして、文字情報が遅れているときは映像情報を、文字情報が早くなっているときは文字情報をそれぞれ遅延させる仕組みを備えることにより、再生装置、もしくは伝送経路などの影響により、二系統のビデオ信号の入力タイミングが一致しない場合でも、文字情報と映像情報を同期させて表示することが可能になる。
【産業上の利用可能性】
【００２９】
再生装置と映像表示装置を、一つは文字情報有りのビデオ信号、もう一つは文字情報のない高画質のビデオ信号の二系統を同時に接続し、映像表示装置で合成することで、従来はＳＤの解像度でしか見られなかったＣｌｏｓｅｄ  Ｃａｐｔｉｏｎなどの文字情報が、高解像度の映像でも利用できるようになる。
【図面の簡単な説明】
【００３０】
【図１】再生装置と映像表示装置間の接続状態を表す図
【図２】映像信号と文字情報を合成する処理を表すブロック図
【図３】視聴する映像信号と文字情報を入力する映像信号を選択する処理を表すブロック図
【図４】映像信号と文字情報を同期させた上で合成する処理を表すブロック図
【符号の説明】
【００３１】
１００、２００、３００、４００    映像表示装置
１０１    再生装置
１０２、１０３    ビデオケーブル
１０４    コンポジット出力端子
１０５    コンポジット入力端子
２０１、３０１、４０１    視聴用ビデオ信号
２０２、３０２、４０２    文字情報が多重化されたビデオ信号
２１０、４１０    文字情報分離部
２１１、４１１    文字情報変換部
２１２、４１２    ビデオデコーダ
２１３、４１３    ビデオ合成処理部
２１４、４１４    ビデオ表示処理部
３０３    映像信号伝送経路切替部
３０４、３０５、３０６、３０７    ビデオ入力
４１５    文字情報出力遅延処理部
４１６    ビデオ出力遅延処理部
【図１】
2007110310.tif 000003
【図２】
2007110310.tif 000004
【図３】
2007110310.tif 000005
【図４】
2007110310.tif 000006